(57)【要約】【課題】電源入力端の形状および使用電圧が異なる直流または交流電源が要求される電子機器に適した直流または交流電源を同時に提供できるマルチアダプターの提供。【解決手段】ＡＣ電源が入力されるプラグおよびケーブルを含むＡＣ入力端と、前記ＡＣ入力端を介して入力された電源に対するＡＣ／ＡＣまたはＡＣ／ＤＣ変換を行う回路を内蔵したアダプター本体と、前記アダプター本体に接続され、ＡＣ入力端から提供されたＡＣ電源を出力し、電源供給対象物のＡＣ電源ソケットとの接続に適した形状のコネクターを持つＡＣ出力端と、前記アダプター本体に接続され、アダプター本体の変換回路で変換されたＤＣ電源を出力し、電源供給対象物のＤＣ電源ソケットとの接続に適した形状のコネクターを持つＤＣ出力端とを含む、マルチアダプター。【選択図】図１
2009118724.tif 000002
【特許請求の範囲】
【請求項１】
入力された交流電源に対する所定の変換を行い、電源が要求される対象物へ、変換出力された電源を提供するマルチアダプターにおいて、
ＡＣ電源が入力されるプラグおよびケーブルを含むＡＣ入力端と、
前記ＡＣ入力端を介して入力された電源に対するＡＣ／ＡＣまたはＡＣ／ＤＣ変換を行う回路を内蔵したアダプター本体と、
前記アダプター本体に接続され、ＡＣ入力端から提供されたＡＣ電源を出力し、電源供給対象物のＡＣ電源ソケットとの接続に適した形状のコネクターを持つＡＣ出力端と、
前記アダプター本体に接続され、アダプター本体の変換回路で変換されたＤＣ電源を出力し、電源供給対象物のＤＣ電源ソケットとの接続に適した形状のコネクターを持つＤＣ出力端とを含むことを特徴とする、マルチアダプター。
【請求項２】
前記ＡＣ入力端とアダプター本体は、前記ＡＣ入力端のケーブルを介して一つのモジュールとして構成されることを特徴とする、請求項１に記載のマルチアダプター。
【請求項３】
前記ＡＣ入力端とアダプター本体は、ＡＣ入力端のケーブルの出力端部に備えられるコネクター、および前記コネクターの接続に適した形状を持つアダプター本体の一側のソケットによって互いに分離可能に接続されることを特徴とする、請求項１に記載のマルチアダプター。
【請求項４】
前記ＡＣ出力端は、前記アダプター本体の外壁の一側から一体に延設けられた構成であることを特徴とする、請求項１乃至請求項３のいずれかに記載のマルチアダプター。
【請求項５】
ＡＣ出力端は、接続ケーブルを介して前記アダプター本体から一定の間隔をおいて分離形成されることを特徴とする、請求項１乃至請求項３のいずれかに記載のマルチアダプター。
【発明の詳細な説明】
【技術分野】
【０００１】
本発明は、入力された電源に対する所定の変換を行い、当該電子機器に適した電源を出力するアダプターに係り、さらに詳しくは、電源入力端の形状および使用電圧がそれぞれ異なるＡＣまたはＤＣ電源を使用する全ての電子機器に活用可能なマルチアダプターに関する。
【背景技術】
【０００２】
一般に、周辺でよく用いられる電子機器は、機器の種類および使用先によって使用電圧が互いに異なり、電源が提供される入力部の形状も各製品によって互いに異なる。よって、機器を使用するためには、その入力部に適した形状を持つコネクターを介して、機器の使用に適した電圧の電源を提供しなければならないが、このような機能を行うものが、一般に「アダプター」と呼ばれる電源変換供給装置である。
【０００３】
アダプターには、交流を直流に変換するＡＣ／ＤＣアダプターと、直流を他の電圧の直流に変換するＡＣ／ＡＣアダプターがある。ＡＣ／ＤＣアダプターおよびＡＣ／ＡＣアダプターは、入力された交流または直流電源に対する所定の変換を行い、当該電子機器の使用に適した交流または直流電源を提供するが、直流電源を必要とする装置を時と場所によって直流電源に接続し、あるいは交流電源を必要とする装置を交流電源に接続するためには、その使用環境に適した別途の２つのＡＣ用電源接続プラグまたはアダプターが要求される。
【０００４】
例えば、ノートブックＰＣなどの携帯用電子製品を使用する場合にはＡＣ／ＤＣアダプターが必要であり、一般に交流電圧が要求されるコンピュータ本体を使用する場合にはＡＣ用電源接続プラグが必要であるが、それぞれの使用のためには、当該電子機器に適した電源を提供するＡＣ／ＤＣアダプターおよびＡＣ用電源接続プラグをそれぞれ備えなければならず、互いに異なる電源が要求される複数の電子製品を使用する際にコンセントの数に余裕がなければ、「マルチコンセント」と呼ばれる補助接続手段も設けられなければならないので、使用上の不便さ、および別途のアダプターまたはマルチコンセントの購入による経済的負担が加重されるという問題点がある。
【発明の開示】
【発明が解決しようとする課題】
【０００５】
そこで、本発明の目的は、電源入力端の形状および使用電圧がそれぞれ異なる直流または交流電源が要求される電子機器に適した直流または交流電源を一つのアダプターで同時に提供できるマルチアダプターを提供することにある。
【課題を解決するための手段】
【０００６】
上記目的を達成するために、本発明は、入力された交流電源に対する所定の変換を行い、電源の要求される対象物へ、変換出力された電源を提供するアダプターにおいて、ＡＣ電源が入力されるプラグおよびケーブルを含むＡＣ入力端と、前記ＡＣ入力端を介して入力された電源に対するＡＣ／ＡＣまたはＡＣ／ＤＣ変換を行う回路を内蔵したアダプター本体と、前記アダプター本体に接続され、ＡＣ入力端から提供されたＡＣ電源を出力し、電源供給対象物のＡＣ電源ソケットとの接続に適した形状のコネクターを持つＡＣ出力端と、前記アダプター本体に接続され、アダプター本体の変換回路で変換されたＤＣ電源を出力し、電源供給対象物のＤＣ電源ソケットとの接続に適した形状のコネクターを持つＤＣ出力端とを含む、マルチアダプターモジュールを提供する。
ここで、前記ＡＣ入力端と前記アダプター本体は、前記ＡＣ入力端のケーブルを介してお互いに接続できる。これとは異なり、ＡＣ入力端ケーブルの出力端部に備えられるコネクター、および前記コネクターの接続に適した形状を持つアダプター本体の一側のソケットによってお互いに分離可能に接続されることも可能である。
また、前記ＡＣ出力端は、前記アダプター本体の外壁の一側に一体に設けられた構成またはアダプター本体自体の大きさによる設置空間の制約などの問題を解決することができるように、接続ケーブルを介して前記アダプター本体から一定の間隔をおいて分離形成される構成であり得る。
【発明の効果】
【０００７】
上述した構成の本発明によれば、一つのアダプターモジュールによって、使用しようとする主要装置に交流電圧を供給すると共に、直流電圧が要求される周辺の他の電子機器に適した直流電圧も供給することが可能なので、電源入力端の形状および使用電圧がそれぞれ異なるＡＣまたはＤＣ電源を使用する全ての電子機器に活用可能であり、場合によってはＡＣまたはＤＣ電源が要求される２つの電子機器に一つのアダプターによって同時に電源供給を行うことが可能である。これにより、従来のように当該電子機器に適した電源を提供するアダプターを別途使用することによる使用上の不便さ、および別途のアダプターまたはマルチコンセントの購入による経済的負担を解消することができるという利点を持つ。
【発明を実施するための最良の形態】
【０００８】
以下に添付図面を参照しながら、本発明の好適な実施の形態について詳細に説明する。
【０００９】
図１〜図３に示すように、本発明に係るマルチアダプターは、入力された電源に対する所定の変換を行い、当該電子機器に適した電源を出力するに際して、電源入力端の形状および使用電圧がそれぞれ異なるＡＣまたはＤＣ電源を使用する全ての電子機器に活用できるように複数の相異なる出力端を持つため、使用電圧がそれぞれ異なる電子機器に共通に適用することができるという利点を持つ。次に、本発明の構成を実施例別にさらに具体的に考察する。
【００１０】
図１は本発明の第１実施例に係るマルチアダプターの構成を示す斜視図である。
次に、図１を参照して本発明の第１実施例に係るマルチアダプターの構成について説明する。本実施例に係るマルチアダプターは、ＡＣ入力端１０およびアダプター本体２０を含む。ＡＣ入力端１０は、定格容量の電源が提供される一般コンセントに接続して電源の入力を受けるプラグ１００、およびこのプラグ１００から延長されたケーブル１１０から構成される。前記アダプター本体２０は、前記ＡＣ入力端１０を介して入力された電源に対するＡＣ／ＡＣ変換またはＡＣ／ＤＣ変換を行う変換回路（図示せず）を内部に備える。
【００１１】
前記ＡＣ入力端側のプラグ１００は、供給される電圧または国家別に相異なる規格を持つコンセントのうち当該コンセントとの接続に適した形状を持つプラグであればいずれの形状でも構わず、前記変換回路は、図面には示されていないが、前記ＡＣ入力端１０を介して入力された電源を交流電源と直流電源に整流する整流部と、入力された電源に対する電圧を電子機器に適した電圧に変える変圧部と、前記整流部を経た電圧に対するノイズを除去するために出力フィルター（Electro Magnetic Interference filter、ＥＭＩフィルター）とを含む公知構成のＡＣ／ＡＣおよびＡＣ／ＤＣ変換回路が適用できる。
【００１２】
前記アダプター本体２０から変換または変圧出力されたＡＣおよびＤＣ電源は、アダプター本体２０から分岐された２つのＡＣ出力端３０およびＤＣ出力端４０を介して当該電子機器に提供される。前記ＡＣ出力端３０は、前記変換回路を経て変圧またはノイズ除去が行われた交流電源を出力して当該電子機器に電源を供給する。前記ＤＣ出力端４０は、前記変換回路を経て変圧および変換され且つノイズが除去された直流電源を出力して当該電子機器に電源を提供する。
【００１３】
前記ＡＣ出力端３０は、電源供給対象物のＡＣ電源ソケット、例えばコンピュータ本体に設けられる３つの接続ピンを持つ３口ソケットとの接続に適した形状を持つコネクター３００を含む。これと同様に、前記ＤＣ出力端４０も、電源供給対象物のＤＣ電源ソケット、例えば無線電話機の据置台に設けられるジャックホルダーとの接続に適した形状を持つコネクター４００を備える。
【００１４】
本実施例における前記ＡＣ出力端３０は、図面でのようにアダプター本体一体型であって、前記アダプター本体２０の一側の外壁から突出する構造である。前記ＤＣ出力端４０のコネクター４００は、アダプター本体から延長されるリード線４１０を介して前記アダプター本体２０と一定の間隔をおいて配置され、アダプター本体２０から所定の距離離れた電源供給対象物への電源供給に適する。この際、前記リード線４１０は、ユーザの操作に応じてリード線の長さを可変させることができるように、リード線の中間にリード線巻線のための公知の弾性巻き取リール（図示せず）を適用することも良い方法である。
【００１５】
前述した構成の本発明の第１実施例によれば、一つのアダプターモジュールで交流電圧および直流電圧の両方ともを出力することが可能なので、電源入力端の形状および使用電圧がそれぞれ異なるＡＣまたはＤＣ電源を使用する全ての電子機器に活用可能であり、場合によってはＡＣまたはＤＣ電源が要求される２つの電子機器に一つのアダプターを介して同時に電源を供給することが可能である。
これにより、従来とは異なり、当該電子機器に適した電源を提供するための複数のアダプターが要求されず、アダプターの別途使用による使用上の不便さおよび別途のアダプター購入による経済的負担が解消できる。
【００１６】
図２は本発明の第２実施例に係るマルチアダプターの構成を示す斜視図である。
図２から分かるように、本発明の第２実施例に係るマルチアダプターは、ＡＣ入力端１０とアダプター本体２０が互いに分離／結合可能に接続される以外は、前述した第１実施例とは構成上の差異がない。したがって、本実施例では、前述した第１実施例とは異なる主要構成のみを説明し、前述した第１実施例と同一の構成については同一の図面符号および名称を使用し、その重複説明は省略する。
図２を参照すると、本実施例に係るマルチアダプターは、ＡＣ入力端１０のケーブル１１０の出力端部に備えられるコネクター１２０、および前記コネクター１２０との接続に適した形状を持つアダプター本体２０の一側のソケット２００を含んでなり、前記コネクター１２０をアダプター本体２０のソケット２００に接続して通電させることができ、或いは装備の携帯または保管の際にアダプター本体２０からＡＣ入力端１０を分離させることができる。
【００１７】
前記コネクター１２０およびソケット２００の形状は、雄雌結合方式で締結可能であり、締結の際に通電が可能な構造的形状を持つものであれば特定の形状に拘らず、周辺でよく用いられる電子機器の中でも特に大型電子製品との互換性を考慮する場合ならば、図面でのような形状を持つプラグ、およびそのプラグの挿入に適した形状を持つソケットを適用することが好ましい。
【００１８】
このような本発明の第２実施例によれば、前述した第１実施例と同様に、一つのアダプターモジュールによって交流電圧および直流電源の出力が可能なので、電源入力端の形状および使用電圧がそれぞれ異なるＡＣまたはＤＣ電源を使用する全ての電子機器に活用可能であるという利点の他にも、前記第１実施例とは異なり、ＡＣ入力端１０とアダプター本体２０を互いに分離させることが可能な構造であるので、必要に応じては分離されたＡＣ入力端１０の単独使用が可能であり、アダプターを使用しない場合に入力端１０とアダプター本体２０とを互いに分離させて携帯または保管することができるので、第１実施例に比べてより優れた使用上の便宜を図ることができる。
【００１９】
図３は本発明の第３実施例に係るマルチアダプターの構成を示す斜視図である。本発明の第３実施例に係るマルチアダプターは、図１に示した第１実施例と比較して、接続ケーブル３１０を介してＡＣ出力端３０がアダプター本体２０から一定の間隔をおいて分離形成されているという点で構成上の差異を持つ。
【００２０】
図３の実施例に示された本実施例での如く、ＡＣ出力端３０がアダプター本体２０から分離形成された場合には、前記ＡＣ出力端３０を電源供給対象物に接続するにおいて、ＡＣ出力端３０がアダプター本体２０と一体に設けられた前述した第1実施例に比べて、接続の後に電源供給対象物から外部に突出するＡＣ出力端３０の突出長さをより短くすることが可能なので、美観の確保および電気安定性の確保を目的としてＡＣ出力端３０の接続のためのソケットが壁面と対面するように電気製品を配置する通常の場合に壁面と電気製品間の離隔距離をより短く確保することが可能であって、空間活用の面で有利であるという利点を持つ。
【００２１】
本実施例の場合、図示した図面上には前述した第１実施例と比較してＡＣ出力端３０とアダプター本体２０とが互いに分離された構造のみを示しているが、本実施例での如く、ＡＣ出力端３０とアダプター本体２０とが互いに分離された構造は、図示してはいないが、前述した第２実施例も適用可能なので、これも本発明の範疇に含まれると見なすべきである。
【００２２】
以上説明したものは本発明を実施するための幾つかの実施例に過ぎないものであって、本発明はこれらの実施例に限定されないのは言うまでもない。特許請求の範囲で請求するような本発明の要旨を逸脱することなく、当該発明の属する分野における通常の知識を有する者であれば誰でも様々な変更実施が可能な範囲まで、本発明の技術的精神があると言える。
【図面の簡単な説明】
【００２３】
【図１】本発明の第１実施例に係るマルチアダプターの構成を示す斜視図である。
【図２】本発明の第２実施例に係るマルチアダプターの構成を示す分離斜視図である。
【図３】本発明の第１実施例に係るマルチアダプターの構成を示す斜視図である。
【符号の説明】
【００２４】
１０    ＡＣ入力端
２０    アダプター本体
３０    ＡＣ出力端
４０    ＤＣ出力端
１００    プラグ
１１０    ケーブル
２００    ソケット
１２０、３００、４００    コネクター
３１０    接続ケーブル
４１０    リード線
【図１】
2009118724.tif 000003
【図２】
2009118724.tif 000004
【図３】
2009118724.tif 000005